【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
光が照射された第１の物体と、前記第１の物体とは異なる物体であって、色素を含み、前記光が照射された第２の物体とが、カラー撮像部によって撮像されたカラー画像を取得する取得部と、
前記光の波長毎の強度の分布、又は前記カラー撮像部の波長毎の感度の分布のうち少なくとも１つの分布と、前記第２の物体に含まれる前記色素により反射された後の前記光の波長毎の強度の分布とに基づいて、前記取得部が取得する前記カラー画像の画素値を補正する補正部と
を備える画像補正装置。
【請求項２】
前記光の波長毎の強度の分布と、前記カラー撮像部の波長毎の感度の分布と、前記第２の物体に含まれる前記色素により反射された後の前記光の波長毎の強度の分布とは、分布の最大値の大きさが正規化された分布である、
請求項１に記載の画像補正装置。
【請求項３】
前記光の波長毎の強度の分布は、前記光の波長毎の強度の分布の最大値を１００％とし、前記光の波長毎の強度をこの最大値に対する１００分率により示した分布であり、
前記カラー撮像部の波長毎の感度の分布は、前記カラー撮像部の波長毎の感度の分布の最大値を１００％とし、前記カラー撮像部の波長毎の感度をこの最大値に対する１００分率により示した分布であり、
前記第２の物体に含まれる前記色素により反射された後の前記光の波長毎の強度の分布は、前記第２の物体に含まれる前記色素により反射された後の前記光の波長毎の強度の分布の最大値を１００％とし、前記第２の物体に含まれる前記色素により反射された後の前記光の波長毎の強度をこの最大値に対する１００分率により示した分布である、
請求項２に記載の画像補正装置。
【請求項４】
前記補正部は、
前記光の波長毎の強度の分布、又は前記カラー撮像部の波長毎の感度の分布のうち少なくとも１つの分布を表す曲線と、前記第２の物体に含まれる前記色素により反射された後の前記光の波長毎の強度の分布を表す曲線との交点に基づいて、前記画素値を補正する
請求項１から請求項３のうちいずれか一項に記載の画像補正装置。
【請求項５】
前記補正部は、
前記交点のうち、所定波長の長波長側交点と、前記所定波長の短波長側交点とに基づいて、前記画素値を補正する
請求項４に記載の画像補正装置。
【請求項６】
前記補正部は、
前記第２の物体に含まれる前記色素により反射された後の前記光の波長毎の強度の分布を表す曲線の変曲点が示す波長を前記所定波長にして、前記交点のうち、前記所定波長の長波長側の長波長側交点と、前記所定波長の短波長側波長の短波長側交点とに基づいて、前記画素値を補正する
請求項５に記載の画像補正装置。
【請求項７】
前記所定波長とは、
前記第２の物体に含まれる前記色素により反射された後の前記光の波長毎の強度の分布を表す曲線の変曲点に対応する波長である
請求項５または請求項６に記載の画像補正装置。
【請求項８】
前記補正部は、
前記光の波長毎の強度の分布を表す曲線と、前記第２の物体に含まれる前記色素により反射された後の前記光の波長毎の強度の分布を表す曲線との交点のうち、前記短波長側交点である第１の交点に基づいて、前記画素値を補正する
請求項５から請求項７のいずれか一項に記載の画像補正装置。
【請求項９】
前記補正部は、
前記光の波長毎の強度の分布を表す曲線と、前記第２の物体に含まれる前記色素により反射された後の前記光の波長毎の強度の分布を表す曲線との交点のうち、前記長波長側交点である第２の交点に基づいて、前記画素値を補正する
請求項５から請求項８のいずれか一項に記載の画像補正装置。
【請求項１０】
前記補正部は、
前記カラー撮像部の波長毎の感度の分布を表す曲線と、前記第２の物体に含まれる前記色素により反射された後の前記光の波長毎の強度の分布を表す曲線との交点のうち、前記長波長側交点である第３の交点に基づいて、前記画素値を補正する
請求項５から請求項９のいずれか一項に記載の画像補正装置。
【請求項１１】
前記カラー撮像部は、赤色を分光する分光部を備え、
前記カラー撮像部の波長毎の感度の分布とは、
前記分光部の波長毎の感度の分布である
請求項１から請求項１０のいずれか一項に記載の画像補正装置。
【請求項１２】
前記第１の物体とは、
細胞である
請求項１から請求項１１のいずれか一項に記載の画像補正装置。
【請求項１３】
前記第２の物体とは、
細胞を培養する培地であって、前記色素としてのフェノールレッドを含有する
請求項１から請求項１２のいずれか一項に記載の画像補正装置。
【請求項１４】
請求項１から請求項１３のいずれか一項に記載の画像補正装置と、
前記第１の物体と、前記第２の物体とを撮像する前記カラー撮像部と、
を備える画像補正システム。
【請求項１５】
コンピュータに、
光が照射された第１の物体と、前記第１の物体とは異なる物体であって、色素を含み、前記光が照射された第２の物体とが、カラー撮像部によって撮像されたカラー画像を取得する取得ステップと、
前記光の波長毎の強度の分布、又は前記カラー撮像部の波長毎の感度の分布のうち少なくとも１つの分布と、前記第２の物体に含まれる前記色素により反射された後の前記光の波長毎の強度の分布に基づいて、前記取得ステップによって取得された前記カラー画像の画素値を補正する補正ステップと
を実行させるための画像補正プログラム。
【請求項１６】
色素を含有する培地によって細胞を培養する培養手順と、
光が照射された前記細胞と、前記光が照射された前記培地とが、カラー撮像部によって撮像されたカラー画像を取得する取得手順と、
前記光の波長毎の強度の分布、又は前記カラー撮像部の波長毎の感度の分布のうち少なくとも１つの分布と、前記色素により反射された後の前記光の波長毎の強度の分布に基づいて、前記取得手順が取得する前記カラー画像の画素値を補正する補正手順と、
前記補正手順によって補正された前記カラー画像に基づいて、前記培養手順が培養する前記細胞の状態が、出荷可能であるか否かを判定する判定手順と、
を有する細胞製造方法。
【手続補正２】
【補正対象書類名】明細書
【補正対象項目名】０００４
【補正方法】変更
【補正の内容】
【０００４】
上記問題を解決するために、本発明の一実施形態は、光が照射された第１の物体と、前記第１の物体とは異なる物体であって、色素を含み、前記光が照射された第２の物体とが、カラー撮像部によって撮像されたカラー画像を取得する取得部と、前記光の波長毎の強度の分布、又は前記カラー撮像部の波長毎の感度の分布のうち少なくとも１つの分布と、前記第２の物体に含まれる前記色素により反射された後の前記光の波長毎の強度の分布とに基づいて、前記取得部が取得する前記カラー画像の画素値を補正する補正部とを備える画像補正装置である。
【手続補正３】
【補正対象書類名】明細書
【補正対象項目名】０００５
【補正方法】変更
【補正の内容】
【０００５】
また、本発明の一実施形態は、上記に記載の画像補正装置と、第１の物体と、第２の物体とを撮像するカラー撮像部と、を備える画像補正システムである。
【手続補正４】
【補正対象書類名】明細書
【補正対象項目名】０００６
【補正方法】変更
【補正の内容】
【０００６】
また、本発明の一実施形態は、コンピュータに、光が照射された第１の物体と、前記第１の物体とは異なる物体であって、色素を含み、前記光が照射された第２の物体とが、カラー撮像部によって撮像されたカラー画像を取得する取得ステップと、前記光の波長毎の強度の分布、又は前記カラー撮像部の波長毎の感度の分布のうち少なくとも１つの分布と、前記第２の物体に含まれる前記色素により反射された後の前記光の波長毎の強度の分布に基づいて、前記取得ステップによって取得された前記カラー画像の画素値を補正する補正ステップとを実行させるための画像補正プログラムである。
【手続補正５】
【補正対象書類名】明細書
【補正対象項目名】０００７
【補正方法】変更
【補正の内容】
【０００７】
また、本発明の一実施形態は、色素を含有する培地によって細胞を培養する培養手順と、光が照射された前記細胞と、前記光が照射された前記培地とが、カラー撮像部によって撮像されたカラー画像を取得する取得手順と、前記光の波長毎の強度の分布、又は前記カラー撮像部の波長毎の感度の分布のうち少なくとも１つの分布と、前記色素により反射された後の前記光の波長毎の強度の分布に基づいて、前記取得手順が取得する前記カラー画像の画素値を補正する補正手順と、前記補正手順によって補正された前記カラー画像に基づいて、前記培養手順が培養する前記細胞の状態が、出荷可能であるか否かを判定する判定手順と、を有する細胞製造方法である。